(57)【要約】【課題】電子クーポンの流通・利用の促進を図るため，譲渡された電子クーポンが利用されたときに，その電子クーポンを譲渡したユーザを特定することを可能とする。【解決手段】第１ユーザ端末２のユーザは，クーポン発行端末１が発行した電子クーポン（ＣＰ１）を第２ユーザ端末３のユーザに譲渡する場合に，クーポン加工・送信手段２４により電子クーポン（ＣＰ１）に第１ユーザの情報（ＡＤＤ１）を付加して譲渡クーポン（ＣＰ２）に加工し，第２ユーザ端末３に送信する。譲渡クーポン（ＣＰ２）が利用される際に，店舗端末４は譲渡クーポン（ＣＰ２）を第２ユーザ端末３から受信し，第１ユーザ特定手段４２により譲渡クーポン（ＣＰ２）に含まれる第１ユーザ情報（ＡＤＤ１）から譲渡者を特定する。特定した譲渡者に，還元クーポン（ＣＰ３）を作成して送信する。【選択図】    図１
2004302770.tif 000002
【特許請求の範囲】
【請求項１】
被譲渡者へ譲渡された電子データで作られる電子クーポンの譲渡者を特定するための方法であって，
電子クーポンの譲渡者の端末において，電子クーポンの譲渡者を特定する情報を譲渡する電子クーポンに付加し，電子クーポンの被譲渡者の端末に送信するステップと，
前記電子クーポンの被譲渡者の端末に送信された電子クーポンを用いた消費行為が行われたときに，前記電子クーポンに付加された譲渡者を特定する情報を読み込むステップと，
読み込んだ情報に基づいて前記電子クーポンの譲渡者を特定するステップとを有する
ことを特徴とする電子クーポン譲渡者特定処理方法。
【請求項２】
電子データで作られる電子クーポンを発行するクーポン発行装置と，電子クーポンの譲渡者の端末と，電子クーポンの被譲渡者の端末とを有するシステムにおいて，被譲渡者へ譲渡された電子クーポンの譲渡者を特定するための方法であって，
前記電子クーポンの譲渡者の端末から前記クーポン発行装置に，前記電子クーポンの譲渡者を特定する情報を指定して被譲渡者に対し電子クーポンを再発行することを依頼するステップと，
前記再発行の依頼に対し，前記クーポン発行装置において受信した電子クーポンの譲渡者を特定する情報を電子クーポンに付加し，指定された被譲渡者の端末に送信するステップと，
前記電子クーポンの被譲渡者の端末に送信された電子クーポンを用いた消費行為が行われたときに，前記電子クーポンに付加された譲渡者を特定する情報を読み込むステップと，
読み込んだ情報に基づいて前記電子クーポンの譲渡者を特定するステップとを有する
ことを特徴とする電子クーポン譲渡者特定処理方法。
【請求項３】
電子データの記憶手段を備えた物理的実体のある電子クーポンが譲渡され使用された場合に，その電子クーポンの譲渡者を特定するための方法であって，
前記電子クーポンの譲渡の際に，該電子クーポンが備える電子データの記憶手段に，電子クーポンの譲渡者を特定する情報を記録するステップと，
前記譲渡された電子クーポンを用いた消費行為が行われたときに，前記電子クーポンから消費行為が行われた店舗端末に前記電子クーポンの譲渡者を特定する情報を読み込むステップと，
前記店舗端末において，前記読み込んだ電子クーポンの譲渡者を特定する情報に基づいて，前記電子クーポンの譲渡者を特定するステップとを有する
ことを特徴とする電子クーポン譲渡者特定処理方法。
【請求項４】
請求項１から請求項３までのいずれか１項に記載の電子クーポン譲渡者特定処理方法において，
前記電子クーポンの譲渡者を特定した結果に基づき，前記電子クーポンの譲渡者に利益を還元するための還元クーポンを作成し，作成した還元クーポンを前記電子クーポンの譲渡者の端末に送信するステップを有する
ことを特徴とする電子クーポン譲渡者特定処理方法。
【請求項５】
クーポン発行装置と，電子クーポンを所持または利用するユーザ端末と，電子クーポンが利用される場所に配備された店舗端末とを有するシステムであって，
前記クーポン発行装置は，
電子データで作られる電子クーポンを発行する手段と，
前記ユーザ端末に電子クーポンを送信する手段とを備え，
前記ユーザ端末は，
前記クーポン発行装置または他のユーザ端末から電子クーポンを取得する手段と，
取得した電子クーポンの内容を表示する手段と，
取得した電子クーポンを被譲渡者に譲渡する場合に，該電子クーポンに譲渡者を特定する情報を付加し，被譲渡者の端末に送信する手段と，
取得した電子クーポンを用いた消費行為時に，前記消費行為が行われた店舗端末に電子クーポン情報を送信する手段とを備え，
前記店舗端末は，
前記ユーザ端末から電子クーポン情報を受信する手段と，
受信した電子クーポン情報に該電子クーポンの譲渡者を特定する情報が含まれる場合に，その情報に基づいて，電子クーポンの譲渡者を特定する手段とを備える
ことを特徴とする電子クーポン処理システム。
【請求項６】
クーポン発行装置と，電子クーポンを所持または利用するユーザ端末と，電子クーポンが利用される場所に配備された店舗端末とを有するシステムであって，
前記クーポン発行装置は，
電子データで作られる電子クーポンを発行するとともに，前記ユーザ端末から電子クーポンの譲渡のための再発行依頼があった場合に，該譲渡者を特定する情報を電子クーポンに付加して再発行する手段と，
前記ユーザ端末に電子クーポンを送信する手段とを備え，
前記ユーザ端末は，
前記クーポン発行装置から電子クーポンを取得する手段と，
取得した電子クーポンの内容を表示する手段と，
取得した電子クーポンを被譲渡者に譲渡する場合に，前記クーポン発行装置に対し，譲渡者および被譲渡者を特定する情報を指定して電子クーポンの再発行を依頼する手段と，
取得した電子クーポンを用いた消費行為時に，前記消費行為が行われた店舗端末に電子クーポン情報を送信する手段とを備え，
前記店舗端末は，
前記ユーザ端末から電子クーポン情報を受信する手段と，
受信した電子クーポン情報に該電子クーポンの譲渡者を特定する情報が含まれる場合に，その情報に基づいて，電子クーポンの譲渡者を特定する手段とを備える
ことを特徴とする電子クーポン処理システム。
【請求項７】
電子データの記憶手段を備えた物理的実体のある電子クーポンと，電子クーポンを所持または利用するユーザ端末と，電子クーポンが利用される場所に配備された店舗端末とを有するシステムであって，
前記電子クーポンは，
前記電子データの記憶手段にユーザ情報を記録する手段と，
前記ユーザ端末または前記店舗端末との間で前記ユーザ情報を送受信する手段とを備え，
前記ユーザ端末は，
前記電子クーポンを被譲渡者に譲渡する場合に，該電子クーポンに電子クーポンの譲渡者を特定する情報を送信し，ユーザ情報として書き込む手段を備え，
前記店舗端末は，
前記電子クーポンを用いた消費行為が行われたときに，該電子クーポンからユーザ情報を読み取る手段と，
読み取ったユーザ情報に該電子クーポンの譲渡者を特定する情報が含まれる場合に，その情報に基づいて，電子クーポンの譲渡者を特定する手段とを備える
ことを特徴とする電子クーポン処理システム。
【請求項８】
請求項５から請求項７までのいずれか１項に記載の電子クーポン処理システムにおいて，
前記店舗端末または該店舗端末から依頼を受けた他の装置は，
前記電子クーポンの譲渡者を特定した結果に基づき，前記電子クーポンの譲渡者に利益を還元するための還元クーポンを作成し，作成した還元クーポンを前記電子クーポンの譲渡者のユーザ端末に送信する手段を備える
ことを特徴とする電子クーポン処理システム。
【発明の詳細な説明】
【０００１】
【発明の属する技術分野】
本発明は，任意のモノやサービスと等価に交換できる電子チケット，あるいは正規の価格から一定額を割引させることができる電子クーポンに関するものである。ここで電子チケット／電子クーポン（本明細書では，これらを電子クーポンと総称する）とは，前記モノやサービスとの交換や割引を享受しうる価値を持つデータ，あるいはそれに関するデータのことである。データ列そのものの場合もあれば，データを格納する記憶媒体を付随する物理的実体のあるものの場合もある。
【０００２】
本発明は，特に，任意のユーザ間でこの電子クーポンの譲渡が行われ，譲渡されたユーザがその電子クーポンを用いて実際に消費行為をした場合に，譲渡したユーザを特定することができる方法およびシステムに関する。
【０００３】
【従来の技術】
電子クーポンに関する技術として，インターネットに公開されているｗｅｂサイト上にクーポン券のページを用意し，ユーザにそのページをプリントアウトさせて，店舗にそれを持参した場合に提供するモノやサービスの正現の代金から一部割り引くといったものがある。その他，前記クーポン券のページや，割引情報を含むバーコード画像などをインターネットなどの通信回線を経由してユーザの携帯端末にダウンロードさせ，店舗にてその画像を提示することにより割引を行うことも行われている。
【０００４】
また，電子クーポンをユーザ間で流通させる技術として，電子クーポンの発行者が不正利用を防ぐ目的で，電子クーポンの利用権を用意して管理し，その利用権の認証が成功した場合にのみ，電子クーポンの利用を許可するという方法がある（例えば，特許文献１参照）。
【０００５】
【特許文献１】
特開２００１−３３８２４２号公報
【０００６】
【発明が解決しようとする課題】
しかし，上記の従来の技術には以下のような問題があった。電子クーポンのページをプリントアウトしたものや，ダウンロードしたページや画像を他者に譲渡した場合に，譲渡されたユーザがその電子クーポンを利用して消費行為をしても譲渡したユーザを特定することができないという問題である。
【０００７】
また，上記特許文献１に記載された電子クーポンに利用権を用意する方法は，利用権の認証が成功した場合に譲渡されたユーザが消費を行えるだけであり，これも譲渡したユーザを特定する仕組みがない。さらに，例えば紙媒体などの物理的実体のあるものとして不特定多数に配布するといった場合に，譲渡が行われたとしても譲渡したユーザを簡単に特定する仕組みはない。
【０００８】
本発明は，上記問題点を解決し，譲渡された電子クーポンを用いた消費行為が行われる時に，この電子クーポンを譲渡したユーザを特定する仕組みを提供することにより，電子クーポンの流通を促進させることを目的とする。
【０００９】
【課題を解決するための手段】
上記課題を解決するため，本発明に係るシステムは，電子クーポンを発行するクーポン発行端末，最初に電子クーポンを受け取った後，知り合いなどにその電子クーポンを譲渡する第１のユーザが用いる端末（以下，第１ユーザ端末という），第１のユーザから電子クーポンを譲渡される第２のユーザが用いる端末（以下，第２ユーザ端末という），第２のユーザが実際に電子クーポンを用いて消費行為をする際に，電子クーポンの情報を受け渡す店舗端末とからなる。
【００１０】
第１ユーザ端末は，クーポン発行端末から電子クーポンを受信すると，電子クーポンに第１のユーザの情報を付加して第２ユーザ端末に送信する。第２ユーザ端末は，電子クーポンを受信し，実際に消費行為をするときに店舖端末に電子クーポンを受け渡し，割引などの利益を享受する。店舗端末は，第２ユーザ端末から受け取った電子クーポンが当該店舗で利用可能かどうかを判断し，さらにその中に含まれる第１のユーザの情報を特定する。
【００１１】
このとき，利益を還元するための還元クーポンを作成し，第１ユーザ端末に送信することも可能である。ここで還元クーポンとは，第２のユーザに電子クーポンを譲渡し，第２のユーザがそれを用いて消費行為をしたことに対する見返りとして，第１のユーザに対して利益を還元するために第１ユーザ端末に送信される新たな電子クーポンなどである。具体的な例を，以下に説明する。
【００１２】
【発明の実施の形態】
以下，本発明の実施の形態を，図を用いて説明する。図１は，本発明の第１の実施の形態に係る構成例を示す図である。本システムは，クーポン発行端末１と，第１ユーザ端末２と，第２ユーザ端末３，店舗端末４とで構成される。クーポン発行端末１と店舗端末４とは別端末として説明するが，一つの端末として実装される場合もある。また，これらの端末間はインターネットなどのような有線の通信回線で接続されている場合や，赤外線やＢｌｕｅｔｏｏｔｈあるいはバーコードの読み取りといった近距離無線通信により接続されている場合もある。
【００１３】
図１に示す各手段について説明する。クーポン発行端末１は，クーポン発行手段１１と，送信手段１２とを備える。クーポン発行手段１１は，ある店舗で利用可能な電子クーポン（ＣＰ１）を作成する。このときの電子クーポン（ＣＰ１）は，電子メールや近距離無線通信などで送受信されるデジタルデータであるとする。送信手段１２は，発行された電子クーポン（ＣＰ１）を第１ユーザ端末２に送信する。
【００１４】
このとき，送信先の第１ユーザ端末２の情報を管理する手段を備える場合もあるが，近距離無線通信などを用いて，不特定多数の第１ユーザ端末２に送信する場合もある。例えば，街中にクーポン発行端末１が設置されていて，その端末に近づいてきた任意の第１ユーザ端末２と近距離無線通信を行い，電子クーポン（ＣＰ１）を送信する場合などである。
【００１５】
第１ユーザ端末２，第２ユーザ端末３は，都合上異なる構成で説明するが，同じ構成であってもよい。また，これらは自宅などに設置されている固定端末の場合もあるし，各ユーザが携帯する携帯端末の場合もある。
【００１６】
第１ユーザ端末２は，クーポン取得手段２１と，表示手段２２と，ユーザ情報保持手段２３と，クーポン加工・送信手段２４と，還元クーポン取得手段２５とを備える。クーポン取得手段２１は，クーポン発行端末１から電子クーポン（ＣＰ１）を受信する。前述のように，クーポン発行端末１とは有線あるいは近距離無線により接続できるとする。表示手段２２は，クーポン取得手段２１が受信した電子クーポン（ＣＰ１）の情報をユーザに認識させるために表示する。
【００１７】
第１ユーザ端末における電子クーポン（ＣＰ１）の情報の表示例を図２に示す。図２に示すように，第１ユーザ端末２には，例えば，電子クーポン（ＣＰ１）の送信元であるクーポン発行端末１の電子メールアドレス「ｃｏｕｐｏｎ＠ａｂｃ−ｓｕｓｈｉ．ｃｏｍ」と送信先である第１ユーザ端末２の電子メールアドレス「ａｄｄ１＠＊＊＊＊＊＊．ｎｅ．ｊｐ  」が表示される。また，「お得クーポン券！」の表示とともに，電子クーポン（ＣＰ１）が使用できる「店舗名」（例えば，「ＡＢＣ寿司」）と「特典」（例えば，「お会計から５％ＯＦＦ！  」）というようなクーポンによるサービス内容が表示される。
【００１８】
ユーザ情報保持手段２３は，ユーザ端末を一意に特定可能な情報であるユーザ情報（ＡＤＤ）を保持する。これは，例えば電子メールアドレスなどである。ユーザの情報を別途管理し，かつ端末の特定が可能であるならば，ユーザを一意に特定するユーザＩＤなどでもよい。また，第１ユーザの情報（ＡＤＤ１）だけでなく，譲渡しうる第２ユーザの情報（ＡＤＤ２）も保持する。
【００１９】
クーポン加工・送信手段２４は，クーポン取得手段２１から電子クーポン（ＣＰ１）の情報を，ユーザ情報保持手段２３から第１ユーザと第２ユーザの情報を受け取り，電子クーポン（ＣＰ１）に第１ユーザの情報（ＡＤＤ１）を付加して譲渡クーポン（ＣＰ２）に加工し，第２ユーザ端末３に送信する。還元クーポン取得手段２５は，店舗端末４から還元クーポン（ＣＰ３）を取得し，表示手段２２に受け渡して表示する。
【００２０】
第２ユーザ端末３は，クーポン取得手段３１と，表示手段３２と，クーポン送信手段３３とを備える。クーポン取得手段３１，表示手段３２は，第１ユーザ端末２と同様であるため，説明を省略する。
【００２１】
第２ユーザ端末３における譲渡クーポン（ＣＰ２）の情報の表示例を図３に示す。図３に示すように，第２ユーザ端末３には，例えば，譲渡クーポン（ＣＰ２）の送信元である第１ユーザ端末２の電子メールアドレス「ａｄｄ１＠＊＊＊＊＊＊．ｎｅ．ｊｐ  」と送信先である第２ユーザ端末３の電子メールアドレス「ａｄｄ２＠＊＊＊＊＊＊．ｎｅ．ｊｐ  」が表示される。また，「お得クーポン券！」の表示とともに，クーポン券が使用できる「店舗名」（例えば，「ＡＢＣ寿司」）と「特典」（例えば，「お会計から５％ＯＦＦ！  」）というようなクーポンによるサービス内容が表示される。
【００２２】
クーポン送信手段３３は，譲渡クーポン（ＣＰ２）を店舗端末４に送信する。これは，第２ユーザが実際に店舗で消費行為をする際に，割引などの利益を得るために譲渡クーポン（ＣＰ２）を店舗端末４に提示するために行う。電子上の仮想店舗の場合のように，インターネットなどの通信回線で店舖端末４に送信する場合もあるし，実際の店舗に第２ユーザ端末３を携帯して持参し，近距離無線通信で送信する場合もある。また，表示手段３２を用いて，店舗に存在する店員に譲渡クーポン（ＣＰ２）を提示するだけで，データの送信を行わない場合もある。
【００２３】
店舗端末４は，クーポン受信・確認手段４１と，第１ユーザ特定手段４２と，還元クーポン作成・送信手段４３とを備える。クーポン受信・確認手段４１は，第２ユーザ端末３から譲渡クーポン（ＣＰ２）を受信し，当該店舗で利用可能なものであるかどうかを確認する。前述のように，第２ユーザ端末３との間で譲渡クーポン（ＣＰ２）のデータの送受信がない場合は，この限りではない（確認は店員に委ねられる）。
【００２４】
第１ユーザ特定手段４２は，譲渡クーポン（ＣＰ２）に含まれる第１ユーザ情報（ＡＤＤ１）を特定し，還元クーポン作成・送信手段４３にこれを受け渡す。あるいは，店員による第１ユーザ情報（ＡＤＤ１）の入力を検出する。また，ユーザ情報を別途管理している場合には，第１ユーザ端末２を一意に識別可能な情報を特定する。還元クーポン作成・送信手段４３は，第１ユーザが第２ユーザに譲渡クーポン（ＣＰ２）を譲渡したことに対して，利益を還元することを可能にするために，新たに還元クーポン（ＣＰ３）を作成し，第１ユーザ情報（ＡＤＤ１）を用いて第１ユーザ端末２に送信する。
【００２５】
店舗端末４が，還元クーポン作成・送信手段４３を持つ代わりに，還元クーポン（ＣＰ３）の作成および送信を，クーポン発行端末１または他のサーバ装置へ依頼する手段を持ち，クーポン発行端末１または他のサーバ装置が，店舗端末４からの依頼により第１ユーザ端末２に還元クーポン（ＣＰ３）を作成して送信するようにしてもよい。後述する他の実施の形態の場合も同様である。
【００２６】
図４〜図７を用いて本発明の第１の実施の形態に係る処理の流れを説明する。図４は，クーポン発行端末１の処理フロー図である。まず，クーポン発行端末１のクーポン発行手段１１によってクーポンの発行処理が行われ，電子クーポン（ＣＰ１）が作成される（ステップＳ１）。続けて，送信手段１２により電子クーポン（ＣＰ１）を第１ユーザ端末２に送信して（ステップＳ２），終了する。
【００２７】
図５は，第１ユーザ端末２の処理フロー図である。まず，クーポン取得手段２１がクーポン発行端末１から電子クーポンを取得して（ステップＳ１１），表示手段２２により表示する（ステップＳ１２）。続けて，クーポン加工・送信手段２４が第１ユーザ情報（ＡＤＤ１）を用いて譲渡クーポン（ＣＰ２）を作成し，第２ユーザ端末３に送信する（ステップＳ１３）。店舗端末４から還元クーポン（ＣＰ３）を受信するまで待機し（ステップＳ１４），還元クーポン取得手段２５が還元クーポン（ＣＰ３）を受信した場合には，表示手段２２により表示処理を行って（ステップＳ１５），終了する。
【００２８】
図６は，第２ユーザ端末３の処理フロー図である。まず，クーポン取得手段３１によって第１ユーザ端末２から譲渡クーポン（ＣＰ２）を取得する処理（ステップＳ２１）と，それを表示手段３２によって表示する処理（ステップＳ２２）を行う。第２ユーザの入力により，クーポン送信手段３３によって譲渡クーポン（ＣＰ２）を店舖端末４に送信するか，あるいは提示する処理を行って（ステップＳ２３），終了する。
【００２９】
図７は，店舗端末４の処理フロー図である。まず，クーポン受信・確認手段４１によって，第２ユーザ端末３から譲渡クーポン（ＣＰ２）を受信，あるいは提示を受け，確認処理を行う（ステップＳ３１）。続けて，第１ユーザ特定手段４２によって譲渡クーポン（ＣＰ２）の中に含まれる第１ユーザ情報（ＡＤＤ１）の特定処理を行い（ステップＳ３２），還元クーポン作成・送信手段４３によって還元クーポン（ＣＰ３）を作成して第１ユーザ端末２へ送信する処理を行って（ステップＳ３３），終了する。
【００３０】
図８に，各端末間でのシーケンスを示す。なお，図中のＳ１〜Ｓ３３は，図４〜図７に示すステップＳ１〜Ｓ３３に対応している。まず，クーポン発行端末１が電子クーポン（ＣＰ１）を発行し，第１ユーザ端末２に電子クーポン（ＣＰ１）を送信する（Ｓ１，Ｓ２）と，第１ユーザ端末２で電子クーポン（ＣＰ１）の取得・表示処理を行い（Ｓ１１，Ｓ１２），譲渡クーポン（ＣＰ２）に加工して，第２ユーザ端末３に送信する（Ｓ１３）。
【００３１】
第２ユーザ端末３は，譲渡クーポン（ＣＰ２）の取得・表示処理を行った後（Ｓ２１，Ｓ２２），店舗端末４に譲渡クーポン（ＣＰ２）を送信する（Ｓ２３）。店舗端末４は，譲渡クーポン（ＣＰ２）の受信・確認処理を行い（Ｓ３１），第１ユーザ特定処理を行った後（Ｓ３２），還元クーポン（ＣＰ３）を作成し，第１ユーザ端末２に送信する（Ｓ３３）。そして，第１ユーザ端末２において，還元クーポン（ＣＰ３）の取得・表示処理が行われる（Ｓ１４，Ｓ１５）。
【００３２】
図９は，本発明の第２の実施の形態に係る構成例を示す図である。図１に示す構成例とほぼ同じであるため，異なる手段についてのみ説明する。クーポン発行端末５が備えるクーポン発行手段５１は，電子クーポン（ＣＰ１）を作成して第１ユーザ端末６に送信するのみでなく，第１ユーザ端末６から第１ユーザ情報（ＡＤＤ１），第２ユーザ情報（ＡＤＤ２），電子クーポン（ＣＰ１）を受信して，第１ユーザ情報（ＡＤＤ１）を用いて譲渡クーポン（ＣＰ２）を作成する。送信手段５２は，作成した譲渡クーポン（ＣＰ２）を第２ユーザ端末３に送信する。
【００３３】
第１ユーザ端末６は，クーポン発行端末５から電子クーポン（ＣＰ１）を取得し，表示する。第１ユーザ端末６における電子クーポン（ＣＰ１）の情報の表示例を図１０に示す。図２に示す第１の実施の形態における表示例と異なり，バーコードの画像をダウンロード可能なＵＲＬ（Ｕｎｉｆｏｒｍ  Ｒｅｓｏｕｒｃｅ  Ｌｏｃａｔｏｒ）が表示されている。このＵＲＬにアクセスすることによりバーコードを受信することができ，受信したバーコードが実際に利用できるクーポン情報になる。
【００３４】
再発行依頼手段６１は，電子クーポン（ＣＰ１）を第２ユーザに譲渡する場合に，第１ユーザ情報（ＡＤＤ１），第２ユーザ情報（ＡＤＤ２），電子クーポン（ＣＰ１）をクーポン発行端末５に送信することにより，譲渡クーポン（ＣＰ２）を発行し，第２ユーザ端末３に送信するよう依頼する。その際の表示例を図１１に示す。
【００３５】
第１ユーザ端末６から図１０に示すＵＲＬにアクセスすることにより，図１１に示すように，第１ユーザ端末６には，例えば，「お得クーポン券！」の表示とともに，クーポン情報であるバーコード６２が表示される。また，クーポン券が使用できる「店舗名」（例えば，「ＡＢＣ寿司」）と「特典」（例えば，「お会計から５％ＯＦＦ！  」）が表示されるほか，このクーポンを友人に譲る場合に，譲渡者である自分（第１ユーザ）の電子メールアドレスを入力する欄と，被譲渡者である友人（第２ユーザ）の電子メールアドレスを入力する欄が表示される。これらの入力欄に，自分の電子メールアドレス「ａｄｄ１＠＊＊＊＊＊．ｎｅ．ｊｐ」と，クーポンを譲り渡す友人の電子メールアドレス「ａｄｄ２＠＊＊＊＊＊．ｎｅ．ｊｐ」とを入力し，「送信」ボタンをクリックすることにより，譲渡クーポン（ＣＰ２）の発行依頼が第１ユーザ端末６からクーポン発行端末５に送信される。
【００３６】
第２ユーザ端末３，店舗端末４の構成は，図１に示す第１の実施の形態と全く同じである。
【００３７】
図１２，図１３を用いて，本発明の第２の実施の形態に係る処理の流れを説明する。図１２は，クーポン発行端末５の処理フロー図である。まず，クーポン発行手段５１によって，電子クーポン（ＣＰ１）を発行し（ステップＳ４１），送信手段５２によって第１ユーザ端末６に送信する（ステップＳ４２）。その後，第１ユーザ端末６から第１ユーザ情報（ＡＤＤ１），第２ユーザ情報（ＡＤＤ２），電子クーポン（ＣＰ１）を受信し，クーポンの再発行依頼を受けた場合（ステップＳ４３），クーポン発行手段５１は，第１ユーザ情報（ＡＤＤ１）を用いて譲渡クーポン（ＣＰ２）を再発行し（ステップＳ４４），送信手段５２によって第２ユーザ端末３に送信して（ステップＳ４５），終了する。クーポン情報がバーコードである場合，譲渡クーポン（ＣＰ２）のバーコード６２に第１ユーザ情報（ＡＤＤ１）が埋め込まれる。
【００３８】
図１３は，第１ユーザ端末６の処理フロー図である。まず，クーポン取得手段２１によってクーポン発行端末５から電子クーポン（ＣＰ１）を取得し（ステップＳ５１），表示手段２２によって表示する（ステップＳ５２）。クーポンを譲渡するためにクーポンの再発行を依頼するユーザの入力を検出した場合（ステップＳ５３）には，再発行依頼手段６１によって第１ユーザ情報（ＡＤＤ１），第２ユーザ情報（ＡＤＤ２），電子クーポン情報（ＣＰ１）をクーポン発行端末５に送信して，クーポンの再発行依頼処理を行う（ステップＳ５４）。
【００３９】
その後は，図５に示す第１の実施の形態と同様に，店舗端末４から還元クーポンを受信するまで待機し（ステップＳ５５），受信した場合には表示処理を行って（ステップＳ５６），終了する。なお，第２ユーザ端末３の処理フロー，店舗端末４の処理フローは，それぞれ図６，図７に示す本発明の第１の実施の形態における処理フローと同様である。
【００４０】
図１４は，各端末間のシーケンスを示す図である。まず，クーポン発行端末５が電子クーポン（ＣＰ１）を発行し，第１ユーザ端末６に電子クーポン（ＣＰ１）を送信する（Ｓ４１，Ｓ４２）。これに対し，第１ユーザ端末６では電子クーポン（ＣＰ１）の取得・表示処理を行い（Ｓ５１，Ｓ５２），クーポンを譲渡する場合には，クーポンの再発行依頼のため，第１ユーザ情報（ＡＤＤ１），第２ユーザ情報（ＡＤＤ２），電子クーポン（ＣＰ１）をクーポン発行端末５に送信する（Ｓ５４）。
【００４１】
クーポン発行端末５は，受信した第１ユーザ情報（ＡＤＤ１）を用いて譲渡クーポン（ＣＰ２）を作成し，第２ユーザ端末に送信する（Ｓ４４，Ｓ４５）。その後のシーケンスは，図８に示す第１の実施の形態と同様である。
【００４２】
図１５は，本発明の第３の実施の形態に係る構成例を示す図である。第３の実施の形態は，電子クーポン（ＣＰ１）が物理的実体のある場合で，情報を記憶することが可能な超薄型のチップなどが埋め込まれている場合の例である。第１のユーザが，後述のクーポン券端末９を手に入れたが，自分では利用せずに他者に譲渡する場合に，自分の情報をクーポン券端末９に書き込んで第２のユーザに譲渡し，第２のユーザは，譲渡されたクーポン券端末９を利用して消費行為をするものとする。図に示す各手段について説明する。
【００４３】
第１ユーザ端末７は，ユーザ情報保持手段７１と，書き込み手段７２と，還元クーポン取得手段２５と，表示手段２２とを備える。ユーザ情報保持手段７１は，第１ユーザ情報（ＡＤＤ１）を保持する。書き込み手段７２は，後述のクーポン券端末９に第１ユーザ情報（ＡＤＤ１）を送信する。送信には近距離の無線通信手段などを用いる。還元クーポン取得手段２５，表示手段２２は，第１，第２の実施の形態と同様である。
【００４４】
店舗端末８は，ユーザ情報読み取り手段８１と，第１ユーザ特定手段４２と，還元クーポン作成・送信手段４３とを備える。ユーザ情報読み取り手段８１は，後述するクーポン券端末９から送信された第１ユーザ情報（ＡＤＤ１）を読み取る。第１ユーザ特定手段４２，還元クーポン作成・送信手段４３は，第１，第２の実施の形態と同様である。
【００４５】
クーポン券端末９は，送受信手段９１と，ユーザ情報記録手段９２とを備える。送受信手段９１は，近距離無線通信などにより，第１ユーザ端末７や店舗端末８と第１ユーザ情報（ＡＤＤ１）を送受信する。ユーザ情報記録手段９２は，受信した第１ユーザ情報（ＡＤＤ１）を記録し，第２のユーザによる消費行為の際に，店舗端末８に第１ユーザ情報（ＡＤＤ１）を送信するために，送受信手段９１に受け渡す。クーポン券端末９の例を図１６に示す。
【００４６】
図１７〜図１９を用いて，本発明の第３の実施の形態に係る処理の流れを説明する。図１７は，第１ユーザ端末７の処理フロー図である。第１ユーザ端末７は，ユーザによる入力を検出し（ステップＳ６１），クーポン券端末９に書き込むために，書き込み手段７２によって第１ユーザ情報（ＡＤＤ１）を送信する（ステップＳ６２）。その後は，第１，第２の実施の形態と同様に，還元クーポン取得手段２５によって店舗端末８から還元クーポン（ＣＰ３）を受信するまで待機し（ステップＳ６３），受信した場合には表示手段２２によって還元クーポン（ＣＰ３）を表示する処理を行って（ステップＳ６４），終了する。
【００４７】
図１８は，クーポン券端末９の処理フロー図である。送受信手段９１によって第１ユーザ端末７から第１ユーザ情報（ＡＤＤ１）を受信した場合（ステップＳ７１），ユーザ情報記録手段９２にこれを記録する（ステップＳ７２）。第１ユーザから第２ユーザにクーポン券端末９が譲渡され，第２ユーザによるクーポンの利用時に，送受信手段９１によって店舗端末８からの読み出し要求を検出したら（ステップＳ７３），記録している第１ユーザ情報（ＡＤＤ１）を店舗端末８に送信して（ステップＳ７４），終了する。
【００４８】
図１９は，店舗端末の処理フロー図である。ほぼ第１，第２の実施の形態と同じである。まず，ユーザ情報読み取り手段８１によってクーポン券端末９から第１ユーザ情報（ＡＤＤ１）の読み取り処理を行い（ステップＳ８１），第１ユーザ特定手段４２によって第１ユーザ情報（ＡＤＤ１）の特定処理を行う（ステップＳ８２）。還元クーポン作成・送信手段４３によって第１ユーザ情報（ＡＤＤ１）の特定結果から還元クーポン（ＣＰ３）を作成し，第１ユーザ端末７へ送信する処理を行い（ステップＳ８３），終了する。
【００４９】
図２０は，各端末間のシーケンスを示す図である。まず，第１ユーザ端末７からクーポン券端末９に第１ユーザ情報（ＡＤＤ１）が送信されると（Ｓ６２），クーポン券端末９においてユーザ情報受信・記録処理を行う（Ｓ７１，Ｓ７２）。第１ユーザから第２ユーザにクーポン券端末９が譲渡された後，クーポン券端末９から店舗端末８に第１ユーザ情報（ＡＤＤ１）が送信される（Ｓ７４）。
【００５０】
店舗端末８は，ユーザ情報読み取り処理を行い（Ｓ８１），第１ユーザ特定処理を行った後（Ｓ８２），還元クーポン（ＣＰ３）を作成し，第１ユーザ端末７に送信する（Ｓ８３）。第１ユーザ端末７では，還元クーポン（ＣＰ３）の取得・表示処理が行われる（Ｓ６３，Ｓ６４）。
【００５１】
【発明の効果】
本発明により，クーポンを受け取ったユーザが自分自身で使用しない場合でも，他者に譲渡し使用されることにより自分に利益が還元されるため，クーポンが他者に積極的に譲渡される機会が増加する。クーポンを発行する店舗にとっては，クーポンが流通し，実際に消費行為に結びつく機会が増加するので，売り上げの増加を期待できる。また，第３の実施の形態のように，物理的実体のあるクーポン券端末を用いれば，クーポン発行端末は第１ユーザ端末の情報を知らなくても，不特定多数にクーポンを配布することが可能である。
【図面の簡単な説明】
【図１】本発明の第１の実施の形態に係る構成例を示す図である。
【図２】第１ユーザ端末における表示例を示す図である。
【図３】第２ユーザ端末における表示例を示す図である。
【図４】クーポン発行端末の処理フロー図である。
【図５】第１ユーザ端末の処理フロー図である。
【図６】第２ユーザ端末の処理フロー図である。
【図７】店舗端末の処理フロー図である。
【図８】各端末間でのシーケンスを示す図である。
【図９】本発明の第２の実施の形態に係る構成例を示す図である。
【図１０】第１ユーザ端末における表示例を示す図である。
【図１１】第１ユーザ端末における表示例を示す図である。
【図１２】クーポン発行端末の処理フロー図である。
【図１３】第１ユーザ端末の処理フロー図である。
【図１４】各端末間のシーケンスを示す図である。
【図１５】本発明の第３の実施の形態に係る構成例を示す図である。
【図１６】クーポン券端末の例を示す図である。
【図１７】第１ユーザ端末の処理フロー図である。
【図１８】クーポン券端末の処理フロー図である。
【図１９】店舗端末の処理フロー図である。
【図２０】各端末間のシーケンスを示す図である。
【符号の説明】
１，５  クーポン発行端末
２，６，７  第１ユーザ端末
３  第２ユーザ端末
４，８  店舗端末
９  クーポン券端末
１１，５１  クーポン発行手段
１２，５２  送信手段
２１，３１  クーポン取得手段
２２，３２  表示手段
２３，７１  ユーザ情報保持手段
２４  クーポン加工・送信手段
２５  還元クーポン取得手段
３３  クーポン送信手段
４１  クーポン受信・確認手段
４２  第１ユーザ特定手段
４３  還元クーポン作成・送信手段
６１  再発行依頼手段
６２  バーコード
７２  書き込み手段
８１  ユーザ情報読み取り手段
９１  送受信手段
９２  ユーザ情報記録手段
９３  超薄型チップ
【図１】
2004302770.tif 000003
【図２】
2004302770.tif 000004
【図３】
2004302770.tif 000005
【図４】
2004302770.tif 000006
【図５】
2004302770.tif 000007
【図６】
2004302770.tif 000008
【図７】
2004302770.tif 000009
【図８】
2004302770.tif 000010
【図９】
2004302770.tif 000011
【図１０】
2004302770.tif 000012
【図１１】
2004302770.tif 000013
【図１２】
2004302770.tif 000014
【図１３】
2004302770.tif 000015
【図１４】
2004302770.tif 000016
【図１５】
2004302770.tif 000017
【図１６】
2004302770.tif 000018
【図１７】
2004302770.tif 000019
【図１８】
2004302770.tif 000020
【図１９】
2004302770.tif 000021
【図２０】
2004302770.tif 000022